(57)【要約】【課題】再生可能エネルギーを有効利用し、曇天や雨天の際、また夜間でも発光力を維持できる高い標識機能を有する反射鏡を提供すること。【解決手段】裏面に反射効率を向上させる加工が施された前板と、前記前板の裏面側に位置し、前記前板を透過した光を反射する中板と、前記前板を裏面側から照射する発光体と、前記発光体を発光させるための電力を蓄電する蓄電器と、風力によって発電する発電機と、ソーラーパネルとを備え、前記蓄電器は、前記ソーラーパネルから供給された電力、および前記発電機によって発電された電力を蓄電することを特徴とする反射鏡。【選択図】図２
2020084714.tif 000002
【特許請求の範囲】
【請求項１】
裏面に反射効率を向上させる加工が施された前板と、
前記前板の裏面側に位置し、前記前板を透過した光を反射する中板と、
前記前板を裏面側から照射する発光体と、
前記発光体を発光させるための電力を蓄電する蓄電器と、
風力によって発電する発電機と、
ソーラーパネルと
を備え、
前記蓄電器は、前記ソーラーパネルから供給された電力、および前記発電機によって発電された電力を蓄電することを特徴とする反射鏡。
【請求項２】
前記中板の前記前板とは反対側に、風を受けて回転する部材を有することを特徴とする請求項１に記載の反射鏡。
【請求項３】
前記前板、前記中板、前記発光体、および前記発電機を保持する保持空間を有する保持体と、
前記保持体の前記前板と反対側に突出するプロペラと
を備え、
前記発電機は、前記プロペラの回転力により発電を行うことを特徴とする請求項１または２に記載の反射鏡。
【請求項４】
前記保持体の前記前板と反対側に配置され、前記ソーラーパネルを有する支持体と、
前記保持体と前記支持体との間に形成された通風路と、
前記通風路内に配置された羽根部と
を備え、
前記発電機は、前記羽根部の回転力により発電を行うことを特徴とする請求項１〜３のいずれか１項に記載の反射鏡。
【発明の詳細な説明】
【技術分野】
【０００１】
本発明は、例えば、道路のガードレールや中央分離帯などに取付けて使用され、自動車のヘッドライトなどの光を反射する反射鏡に関する。
【背景技術】
【０００２】
従来より、道路のガードレールや中央分離帯などに取付けて使用され、自動車のヘッドライトなどの光を反射する反射鏡として、ソーラ式発光体を備えたものが知られている（例えば、特許文献１参照）。この反射鏡は、太陽光により蓄電され、夜間になると発光ダイオードが発光するため、標識としての機能が倍加される。
【先行技術文献】
【特許文献】
【０００３】
【特許文献１】特開２００２−３３９３２１号公報
【発明の概要】
【発明が解決しようとする課題】
【０００４】
しかしながら、前述の反射鏡は、太陽光の照度が低下する曇天時や雨天時には、太陽光発電による蓄電量が低減することで、発光力が弱くなるという問題があった。
【０００５】
本発明の目的は、再生可能エネルギーを有効利用し、曇天や雨天の際、また夜間でも発光力を維持できる高い標識機能を有する反射鏡を提供することである。
【課題を解決するための手段】
【０００６】
本発明の反射鏡は、
裏面に反射効率を向上させる加工が施された前板と、
前記前板の裏面側に位置し、前記前板を透過した光を反射する中板と、
前記前板を裏面側から照射する発光体と、
前記発光体を発光させるための電力を蓄電する蓄電器と、
風力によって発電する発電機と、
ソーラーパネルと
を備え、
前記蓄電器は、前記ソーラーパネルから供給された電力、および前記発電機によって発電された電力を蓄電することを特徴とする。
このように、ソーラーパネルの他に風力によって発電する発電機を備えることで、再生可能エネルギーを有効利用することができ、太陽光の照度が低下する曇天時や雨天時においても蓄電することができ、発光体の発光力を維持することができる。
【０００７】
また、本発明の反射鏡は、
前記中板の前記前板とは反対側に、風を受けて回転する部材、具体的には下記プロペラや羽根部を有することを特徴とする。
このように、風を受けて回転する部材が、前記中板の前記前板とは反対側に存在することで、前記前板に入射し得る光を阻害せずに前板を透過させることができ、前記中板で反射する光および前記発光体からの光を阻害せずに前板より外部に放射することができるため、標識機能を損なうことなく、風力発電を行うことができる。
【０００８】
また、本発明の反射鏡は、
前記前板、前記中板、前記発光体、および前記発電機を保持する保持空間を有する保持体と、
前記保持体の前記前板と反対側に突出するプロペラと
を備え、
前記発電機は、前記プロペラの回転力により発電を行うことを特徴とする。
このように、プロペラを設けることにより、的確に風力発電を行うことができる。
【０００９】
また、本発明の反射鏡は、
前記保持体の前記前板と反対側に配置され、前記ソーラーパネルを有する支持体と、
前記保持体と前記支持体との間に形成された通風路と、
前記通風路内に配置された羽根部と
を備え、
前記発電機は、前記羽根部の回転力により発電を行うことを特徴とする。
このように、保持体と支持体との間に通風路を形成することにより、該通風路を通過する風によって、太陽光により熱せられたソーラーパネルを冷却し、熱による発電効果の減少を抑制することができる。また、通風路に設けられた羽根部により、風力発電を行うことができ、また、プロペラによる風力発電を補強することができる。
【発明の効果】
【００１０】
本発明によれば、再生可能エネルギーを有効利用し、曇天や雨天の際、また夜間でも発光力を維持できる高い標識機能を有する反射鏡を提供することができる。
【図面の簡単な説明】
【００１１】
【図１】実施の形態に係る反射鏡を正面から視た図である。
【図２】実施の形態に係る反射鏡を図１に示すＡ−Ａ線で切断した断面を示す図である。
【図３】他の実施の形態に係る反射鏡を図１に示すＡ−Ａ線で切断した断面を示す図である。
【発明を実施するための形態】
【００１２】
以下、図面を参照して、本発明の実施の形態に係る反射鏡について説明する。図１は、実施の形態に係る反射鏡２を正面から視た図であり、図２、３は、これを図１に示すＡ−Ａ線で切断した断面を示す図である。なお、ここで、「前方」、「後方」とは、図２、３における紙面の左側、右側をそれぞれ意味する。すなわち、前板８はプロペラ１６の前方に位置し、プロペラ１６は前板８の後方に位置している。
【００１３】
図１〜３に示すように、反射鏡２は、本体部４と取付部６とから構成されている。図２における本体部４は、前板８、中板９、発光体１０、蓄電器１２、プロペラ１６、軸１８、羽根部２０、発電機２２、保持体２４、支持体２６を備えている。
なお、図示してはいないが、蓄電器１２は、本体部４とは別体としてもよい。
【００１４】
前板８は、ポリカーボネート樹脂やアクリル樹脂などの透明プラスチックを素材とする板、例えば円板である。前板裏面８ｂは、光反射効率を向上させる加工、例えば、ダイヤカットが施されている。前板表面８ａは、水分、排気ガス中に含まれる成分や空気中の埃などの汚れ成分を雨などにより除去することができる等の点から、従来公知の親水化処理等を行ったものであることが好ましい。該親水化処理方法としては、従来公知の方法が挙げられ、酸化チタンコーティング、プラズマ処理、親水性塗膜の形成などが挙げられるが、所望の反射鏡を容易に得ることができる等の点から、酸化チタンコーティングが好ましい。
前板表面８ａの形状は特に制限されないが、汚れ成分を除去しやすい平面であってもよく、前方からの風を通風路３０や、プロペラ１６や羽根部２０に誘導可能な曲面であってもよい。
前板８は、必要により着色していてもよい。
【００１５】
中板９は、中央部には貫通孔９ｃが開設された板、例えば円板であり、前板８の後方に位置している。この中板９は、中板表面９ａが前板８を透過した光を反射する反射面として機能する。貫通孔９ｃは、発光体１０からの光を通過させるために形成されている。なお、中板表面９ａの反射面は、従来公知の鏡面形成方法で鏡面を形成すればよい。このような鏡面形成方法としては特に制限されないが、例えば、Ａｌ，Ａｇ，Ａｕ，Ｐｔ，Ｔｉ，Ｃｒ，Ｒｈ，Ｃｕ等の金属や、セラミックスやポリマー等で構成された反射部材を、切削加工、金型成形、電界研磨または化学研磨等の鏡面加工する方法、金属メッキや蒸着等により、Ａｌ，Ａｇ，Ａｕ，Ｃｒ等の金属鏡面を形成する方法、透明樹脂に、アルミナセラミックス、酸化チタン、酸化ジルコニウム等のセラミックス粒子を含有させたペーストを用いて鏡面を形成する方法が挙げられる。
なお、図示してはいないが、貫通孔９ｃは中央部以外の１箇所、中央部と他の箇所、中央部以外の複数の他の箇所（例：反射鏡を前方から視た場合の上下左右の４箇所）に設けてもよい。
【００１６】
発光体１０は、蓄電器１２に蓄電された電力により発光する。この発光により、前板８が前板裏面８ｂ側から照射される。発光体１０としては、例えば、ＬＥＤが用いられる。
なお、発光体１０は、晴天時の日中は発光せず、夜間や、曇天時や雨天時の日中のみ発光するようにしてもよい。
【００１７】
蓄電器１２は、発光体１０を発光させるための電力を蓄電し、発光体１０の後方に配置されている。なお、蓄電量を増加させる等の点から、大きな蓄電器を用いるなどの場合には、蓄電器１２は本体部４とは別体としてもよい。通常、蓄電器１２は、ソーラーパネル２８、発電機２２および発光体１０とケーブルなどでつながれている。蓄電器と、ソーラーパネルなどとは直接ケーブルなどでつながれていてもよいが、例えば、蓄電器とソーラーパネルとは、従来公知の機器、例えばチャージコントローラーなどを介してつながっていてもよい。
【００１８】
プロペラ１６は、支持体２６の後方（前板８と反対側）において外部に突出して配置され、風力を受けて回転する。プロペラ１６が回転することにより、軸１８が回転し、この回転により発電機２２において電気エネルギーが生じる。なお、プロペラ１６と軸１８との間には、従来公知の機器、例えばプロペラ１６の回転を増幅する増幅機などが存在していることが好ましい。
【００１９】
発電機２２は、軸１８を介して伝達されたプロペラ１６や羽根部２０の回転力により発電する風力発電装置である。発電された電力は蓄電器１２に蓄電される。
【００２０】
保持体２４は、椀型の形状を有し、椀型の開放された部分に前板８が配置され、その後方に中板９が配置されている。また、半球部分の底部中央には、軸１８が貫通する図示しない貫通孔が形成され、内部には、前板８、中板９、発光体１０、および発電機２２が保持される保持空間２４ａが形成されている。なお、保持体２４の形状は、椀型に限定されず、前記保持空間２４ａが形成されるような形状であれば特に制限されず、例えば、コの字型等の形状であってもよいが、本発明に係る反射鏡が羽根部２０を有する場合、該羽根部２０に前板８の前方側からの風を誘導できるような形状であることが好ましい。
【００２１】
保持体２４の材質は特に制限されないが、合成樹脂であることが好ましく、具体的には、例えば、ポリプロピレン、ポリエチレン、ポリスチレン、ＡＢＳ、ＰＭＭＡ等の合成樹脂が挙げられる。これらの合成樹脂は、バージン材であってもよく、再生材であってもよい。また、保持体２４は、耐候性や強度等を向上させるため、従来公知の添加剤を含んでいてもよく、このような添加剤としては、例えば、顔料、炭素繊維やガラス繊維などの繊維、耐熱安定剤、耐熱水安定剤、光安定剤、紫外線吸収剤、分散剤が挙げられ、これらの中でも、強度等に優れる反射鏡を容易に得ることができる等の点から、タルクが好ましい。
また、前板８と中板９との間の保持体２４の内周面は、反射面とすることが好ましい。
【００２２】
また、保持体２４は合成樹脂を素材とし、中空状で前面開口部を有する保持空間２４ａを具備し、前記保持空間２４ａには収納室が形成してあり、前記中板９は貫通孔９ｃを有する平板状で、その前面は反射面になっており、前記前板８は透明プラスチックを素材とするものであり、前記保持空間２４ａの中には前記中板９がこの保持空間２４ａの前面開口部に平行に設置してあり、前記発光体１０は前記中板９の前記貫通孔９ｃを介して前記保持空間２４ａの前記収納室に挿置してあり、前記前板８は前記保持空間２４ａの前面開口部に取付けてあることも好ましい。
【００２３】
支持体２６は、保持体２４の後方（前板８と反対側）に、支持体２６と保持体２４の間に風が通過する通風路３０が形成されるように所定の間隔をもって配置され、保持体２４と同様に椀型の形状を有している。本発明に係る反射鏡が前記保持体２４から突出するプロペラ１６を有する場合、半球部分の底部中央には、保持体２４と同様に軸１８が貫通する図示しない貫通孔が形成される。支持体２６の裏面（後方に突出した側の面、支持体２６の外面）にはソーラーパネル２８が配置される。なお、支持体２６の裏面にソーラーパネル２８が配置されるのではなく、ソーラーパネル２８自体が支持体２６となってもよい。
支持体２６の形状も、椀型に限定されず、前記通風路３０が形成されるような形状であれば特に制限されず、例えば、コの字型等の形状であってもよく、ソーラーパネル２８面が太陽光を受けやすい形状であることが好ましい。
なお、支持体２６を有する反射鏡は、通風路３０に風が流れるような態様になっていれば特に制限されないが、このような態様として、通常、支持体２６には、前板８の前方側からの風が通風路３０を通り抜けるように、風が通り抜け可能な貫通口（図示しない）が設けられている。また、支持体２６の形状は、通風路３０に羽根部２０を設ける場合、該羽根部２０を、通風路３０を通過する風で回転させることが可能となる形状であることが好ましい。
支持体２６の材質としては、保持体２４で例示した材質と同様の材質が挙げられ、これらの中でも、より耐候性に優れる材質が好ましい。
【００２４】
ソーラーパネル２８は、日中照射された太陽光を電力に変換する。変換された電力は、図示しない導電経路を介して蓄電器１２に伝達され蓄電される。なお、ソーラーパネル２８は、支持体２６の裏面の全面に配置されていてもよいが、コストや発電効率などを考慮すると、支持体２６の裏面の少なくとも一部、特に太陽光が当たりやすい上部に配置されることが好ましい。
なお、本発明に係る反射鏡が、支持体２６を有さない場合、ソーラーパネル２８は、保持体２４の裏面（保持空間２４ａとは反対側）の少なくとも一部に配置される。
【００２５】
羽根部２０は、通風路３０内において軸１８に取り付けられている。本発明に係る反射鏡が前記プロペラ１６を有する場合、本発明に係る反射鏡は、羽根部２０を有さなくてもよいが、通風路３０に羽根部２０を設けることにより、プロペラ１６による風力発電を補強することができる。羽根部２０は、通風路３０内を通過する風力によって回転し、この回転力により軸１８を回転させる。
【００２６】
取付部６は、本体部４をガードレールや中央分離帯などの所望の場所に取付けるための部品である。本発明に係る反射鏡が用いられる場所によって、取付部６の形状、本体部４との接合位置を適宜変更すればよい。
取付部６の材質としては、保持体２４で例示した材質と同様の材質が挙げられ、これらの中でも、より強度に優れる材質が好ましい。
【００２７】
次に本実施の形態に係る反射鏡２の機能について説明する。前述したように、前板裏面８ｂには、ダイヤカットなどの反射効率を向上させる加工が施されている。このため、例えば、夜間走行する自動車のヘッドライトからの光が前板８に照射されると、照射された光は中板表面９ａで反射し、反射光線が前板裏面８ｂに施されたダイヤカットなどによって乱反射する。これにより、反射鏡２は、走行する自動車の標識として機能する。
【００２８】
また、日中、ソーラーパネル２８に太陽光が照射されて蓄電器１２が蓄電され、夜間になると発光体１０が発光する。これにより、反射鏡２の標識としての機能が倍加される。さらに、通風路３０内が通風されることによって、太陽光で温度が上昇したソーラーパネル２８が冷却され、ソーラーパネル２８の熱による発電効率の低下を抑制できる。
また、風が吹いている場合には、プロペラ１６が風力を受けて回転し、発電機２２で風力発電が行われて蓄電器１２が蓄電される。風が吹いている場合、さらに、羽根部２０が通風路３０内を通過する風力によって回転し、発電機２２で風力発電が行われて蓄電器１２が蓄電される。
【００２９】
この実施の形態に係る反射鏡２によれば、ソーラーパネル２８の他に風力によって発電する発電機２２を備えることにより、太陽光の照度が低下する曇天時や雨天時においても蓄電することができ、発光体１０の発光力を維持することができる。
【００３０】
本発明に係る反射鏡の使用態様としては、該反射鏡１つを用いてもよく、複数の方向から反射光を視認できるように、複数の反射鏡を組み合わせて使用してもよい。
【符号の説明】
【００３１】
２      反射鏡
４      本体部
６      取付部
８      前板
８ａ    前板表面
８ｂ    前板裏面
９      中板
９ａ    中板表面
９ｃ    貫通孔
１０    発光体
１２    蓄電器
１６    プロペラ
１８    軸
２０    羽根部
２２    発電機
２４    保持体
２４ａ  保持空間
２６    支持体
２８    ソーラーパネル
３０    通風路
【図１】
2020084714.tif 000003
【図２】
2020084714.tif 000004
【図３】
2020084714.tif 000005